【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
アクセサリ装置が取り付け可能な撮像装置であって、
第１の通信チャネルを介して第１のデータを受信し、第２の通信チャネルを介して第２のデータを送信するカメラ制御部を有し、
前記カメラ制御部は、第１の通信モードと第２の通信モードにより通信を行い、
前記第１の通信モードは、前記カメラ制御部が第１の信号レベルから第２の信号レベルへの第３の通信チャネルの信号レベルの変化に従って前記第１のデータを受信し、前記第１のデータの受信に従って前記第２のデータを送信する通信モードであり、
前記第２の通信モードは、前記カメラ制御部が前記第１の信号レベルから前記第２の信号レベルへの前記第３の通信チャネルの信号レベルの変化後、前記第３の通信チャネルの前記第２の信号レベルでの維持に従って前記第１のデータを受信し、前記第１のデータの受信に従って前記第２のデータを送信する通信モードであり、
前記第１の通信モードと前記第２の通信モードとで前記第１のデータのパリティビットの設定が互いに異なり、
前記第１の通信モードの前記パリティビットの設定では、前記パリティビットは偶数パリティまたは奇数パリティであり、
前記第２の通信モードの前記パリティビットの設定では、前記パリティビットは含まれず、
前記パリティビットは、前記第２の信号レベルのスタートビットと、それに続く８ビットのデータとからなる前記第１のデータの後に付加されていることを特徴とする撮像装置。
【請求項２】
前記カメラ制御部は、前記第１のデータのパリティエラーを検出することで該カメラ制御部と前記アクセサリ装置との通信モードの不一致を検出することを特徴とする請求項１に記載の撮像装置。
【請求項３】
前記カメラ制御部は、前記通信モードの不一致を検出することに応じて、該カメラ制御部と前記アクセサリ装置との前記通信モードを一致させる処理を行うことを特徴とする請求項２に記載の撮像装置。
【請求項４】
前記カメラ制御部は、該カメラ制御部の通信モードが前記第１の通信モードである場合に前記通信モードの不一致を検出したときは、前記処理として、前記アクセサリ装置の通信モードを前記第１の通信モードに切り替える処理を行うことを特徴とする請求項３に記載の撮像装置。
【請求項５】
前記カメラ制御部は、該カメラ制御部の通信モードが前記第２の通信モードにある場合に前記通信モードの不一致を検出したときは、前記処理として、前記カメラ制御部の通信モードを前記第１の通信モードに切り替える処理を行うことを特徴とする請求項３に記載の撮像装置。
【請求項６】
前記通信は、調歩同期式通信であり、
前記カメラ制御部は、前記第３の通信チャネルを介して信号を出力することを特徴とする請求項１から５のいずれか一項に記載の撮像装置。
【請求項７】
前記カメラ制御部は、
前記第１の通信モードでは、通信待機要求を付加した前記第１のデータを前記アクセサリ装置から受信し、
前記第２の通信モードでは、前記通信待機要求を付加せずに前記第１のデータを前記アクセサリ装置から受信し、
前記第１の通信モードでは、前記通信待機要求が解除されるまでは前記アクセサリ装置に通信要求を通知せず、
前記第２の通信モードでは、所定量の前記通信が行われるまで、前記第２の信号レベルでの前記第３の通信チャネルの信号レベルの維持によって、前記アクセサリ装置への前記通信要求の通知を続け、前記所定量の前記通信が行われることに応じて該カメラ制御部の通信モードを前記第１の通信モードに切り替えることを特徴とする請求項６に記載の撮像装置。
【請求項８】
前記カメラ制御部は、前記第１の通信モードにおいて通信モードの不一致を検出したときは、前記処理として、前記通信要求を所定時間の間、前記アクセサリ装置に通知しないことで該アクセサリ装置を前記第１の通信モードに切り替える処理を行うことを特徴とする請求項６または７に記載の撮像装置。
【請求項９】
撮像装置に取り付け可能に装着されるアクセサリ装置であって、
第１の通信チャネルを介して第１のデータを送信し、第２の通信チャネルを介して第２のデータを受信するアクセサリ制御部を有し、
前記アクセサリ制御部は、第１の通信モードと第２の通信モードにより通信を行い、
前記第１の通信モードは、前記アクセサリ制御部が第１の信号レベルから第２の信号レベルへの第３の通信チャネルの信号レベルの変化に従って前記第１のデータを送信し、前記第１のデータの送信に従って前記第２のデータを受信する通信モードであり、
前記第２の通信モードは、前記アクセサリ制御部が前記第１の信号レベルから前記第２の信号レベルへの前記第３の通信チャネルの信号レベルの変化後、前記第３の通信チャネルの前記第２の信号レベルでの維持に従って前記第１のデータを送信する通信モードであり、
前記第１の通信モードと前記第２の通信モードとで前記第１のデータのパリティビットの設定が互いに異なり、
前記第１の通信モードの前記パリティビットの設定では、前記パリティビットは偶数パリティまたは奇数パリティであり、
前記第２の通信モードの前記パリティビットの設定では、前記パリティビットは含まれず、
前記パリティビットは、前記第２の信号レベルのスタートビットと、それに続く８ビットのデータとからなる前記第１のデータの後に付加されていることを特徴とするアクセサリ装置。
【請求項１０】
前記アクセサリ制御部は、前記第１のデータのパリティエラーを検出することで該アクセサリ装置と前記撮像装置との通信モードの不一致を検出した前記撮像装置からの通信モードの切替え要求に応じて該アクセサリ制御部の通信モードを切り替えることを特徴とする請求項９に記載のアクセサリ装置。
【請求項１１】
前記アクセサリ制御部は、前記第１の通信モードにおいて前記通信モードの不一致を検出した前記撮像装置からの前記切替え要求に応じて、該アクセサリ制御部の通信モードを前記第１の通信モードに切り替えることを特徴とする請求項１０に記載のアクセサリ装置。
【請求項１２】
前記通信は、調歩同期式通信であり、
前記カメラ制御部は、前記第３の通信チャネルを介して信号を出力することを特徴とする請求項９から１１のいずれか一項に記載のアクセサリ装置。
【請求項１３】
前記アクセサリ制御部は、
前記第１の通信モードでは、前記撮像装置に前記通信要求の通知を禁止する通信待機要求を付加した前記第１のデータを前記撮像装置に送信し、
前記第２の通信モードでは、前記撮像装置から前記通信要求が通知されている間は前記通信待機要求を付加せずに前記第１のデータを前記撮像装置に送信することを特徴とする請求項１２に記載のアクセサリ装置。
【請求項１４】
前記アクセサリ制御部は、前記第１の通信モードにおいて通信モードの不一致を検出した前記撮像装置から前記通信要求が所定時間の間、通知されないことに応じて、該アクセサリ制御部の通信モードを前記第１の通信モードに切り替える処理を行うことを特徴とする請求項１２または１３に記載の撮像装置。
【請求項１５】
前記アクセサリ制御部は、撮像装置データの異常を検出した場合は、前記撮像装置にパリティエラーを検出させるように生成した前記第１のデータを送信することを特徴とする請求項９から１４のいずれか一項に記載のアクセサリ装置。
【請求項１６】
撮像装置と該撮像装置に取り付け可能なアクセサリ装置とを含む撮像システムであって、
前記撮像装置および前記アクセサリ装置はそれぞれ、第１の通信チャネルを介して第１のデータを受信し、第２の通信チャネルを介して第２のデータを送信するカメラ制御部および前記第１の通信チャネルを介して前記第１のデータを送信し、前記第２の通信チャネルを介して前記第２のデータを受信するアクセサリ制御部を有し、
前記カメラ制御部および前記アクセサリ制御部は第１の通信モードと第２の通信モードにより通信を行い、
前記第１の通信モードは、前記カメラ制御部が第１の信号レベルから第２の信号レベルへの第３の通信チャネルの信号レベルの変化に従って前記第１のデータを受信し、前記第１のデータの受信に従って前記第２のデータを送信する通信モードであり、
前記第２の通信モードは、前記カメラ制御部が前記第１の信号レベルから前記第２の信号レベルへの前記第３の通信チャネルの信号レベルの変化後、前記第３の通信チャネルの前記第２の信号レベルでの維持に従って前記第１のデータを受信し、前記第１のデータの受信に従って前記第２のデータを送信する通信モードであり、
前記第１の通信モードと前記第２の通信モードとで前記第１のデータのパリティビットの設定が互いに異なり、
前記第１の通信モードの前記パリティビットの設定では、前記パリティビットは偶数パリティまたは奇数パリティであり、
前記第２の通信モードの前記パリティビットの設定では、前記パリティビットは含まれず、
前記パリティビットは、前記第２の信号レベルのスタートビットと、それに続く８ビットのデータとからなる前記第１のデータの後に付加されていることを特徴とする撮像システム。
【請求項１７】
アクセサリ装置が取り付け可能な撮像装置の制御方法であって、
第１の通信チャネルを介して第１のデータを受信し、第２の通信チャネルを介して第２のデータを送信するステップを有し、
前記撮像装置および前記アクセサリ装置の間で第１の通信モードと第２の通信モードにより通信が行われ、
前記第１の通信モードは、前記撮像装置のカメラ制御部が第１の信号レベルから第２の信号レベルへの第３の通信チャネルの信号レベルの変化に従って前記第１のデータを受信し、前記第１のデータの受信に従って前記第２のデータを送信する通信モードであり、
前記第２の通信モードは、前記カメラ制御部が前記第１の信号レベルから前記第２の信号レベルへの前記第３の通信チャネルの信号レベルの変化後、前記第３の通信チャネルの前記第２の信号レベルでの維持に従って前記第１のデータを受信し、前記第１のデータの受信に従って前記第２のデータを送信する通信モードであり、
前記撮像装置に、前記アクセサリ装置から、前記第１の通信モードと前記第２の通信モードとで前記第１のデータのパリティビットの設定が互いに異なり、
前記第１の通信モードの前記パリティビットの設定では、前記パリティビットは偶数パリティまたは奇数パリティであり、
前記第２の通信モードの前記パリティビットの設定では、前記パリティビットは含まれず、
前記パリティビットは、前記第２の信号レベルのスタートビットと、それに続く８ビットのデータとからなる前記第１のデータの後に付加されていることを特徴とする撮像装置の制御方法。
【請求項１８】
撮像装置に取り付け可能に装着されるアクセサリ装置の制御方法であって、
第１の通信チャネルを介して第１のデータを送信し、第２の通信チャネルを介して第２のデータを受信するステップを有し、
前記アクセサリ装置および前記撮像装置の間で第１の通信モードと第２の通信モードにより通信が行われ、
前記第１の通信モードは、前記アクセサリ制御部が第１の信号レベルから第２の信号レベルへの第３の通信チャネルの信号レベルの変化に従って前記第１のデータを送信し、前記第１のデータの送信に従って前記第２のデータを受信する通信モードであり、
前記第２の通信モードは、前記アクセサリ制御部が前記第１の信号レベルから前記第２の信号レベルへの前記第３の通信チャネルの信号レベルの変化後、前記第３の通信チャネルの前記第２の信号レベルでの維持に従って前記第１のデータを送信する通信モードであり、
前記第１の通信モードと前記第２の通信モードとで前記第１のデータのパリティビットの設定が互いに異なり、
前記第１の通信モードの前記パリティビットの設定では、前記パリティビットは偶数パリティまたは奇数パリティであり、
前記第２の通信モードの前記パリティビットの設定では、前記パリティビットは含まれず、
前記パリティビットは、前記第２の信号レベルのスタートビットと、それに続く８ビットのデータとからなる前記第１のデータの後に付加されていることを特徴とするアクセサリ装置の制御方法。
【請求項１９】
前記カメラ制御部は、前記第１及び第２の通信モードにおいて、前記アクセサリ装置に要求を送信し、パリティビットの設定が前記第１のデータではなく前記第１の通信モードと前記第２の通信モード間の前記アクセサリ装置の通信モードに応じて異なるように予め決められた前記第１のデータを受信することを特徴とする請求項１から８のいずれか一項に記載の撮像装置。
【請求項２０】
前記アクセサリ制御部は、前記第１及び第２の通信モードにおいて、前記撮像装置に、パリティビットの設定が前記第１のデータではなく前記アクセサリ制御部の通信モードに応じて異なるように予め決められた前記第１のデータを送信することを特徴とする請求項９から１５のいずれか一項に記載のアクセサリ装置。
【請求項２１】
前記カメラ制御部は、前記第２の通信モードにおいて、前記第２の信号レベルでの前記第３のデータ通信チャネルの信号レベルの維持中、前記第１のデータを受信し続けることを特徴とする請求項１から８のいずれか一項に記載の撮像装置。
【請求項２２】
前記カメラ制御部は、前記第２の通信モードにおいて、前記第２の信号レベルでの前記第３のデータ通信チャネルの維持後、前記第２の信号レベルから前記前記第１の信号レベルへの前記第３のデータ通信チャネルの信号レベルの変化に従って前記第１のデータの受信を停止することを特徴とする請求項１から８のいずれか一項に記載の撮像装置。
【請求項２３】
前記パリティビットの後の前記第１のデータ通信チャネルの信号レベルは、前記第１の信号レベルであることを特徴とする請求項１から８のいずれか一項に記載の撮像装置。
【請求項２４】
前記第１の通信モードでは、前記第１の信号レベルのストップビットが前記パリティビットに続き、
前記第２の通信モードでは、前記第１の信号レベルのストップビットが前記第１のデータに続くことを特徴とする請求項１から８のいずれか一項に記載の撮像装置。
【請求項２５】
前記アクセサリ制御部は、前記第２の通信モードにおいて、前記第２の信号レベルでの前記第３のデータ通信チャネルの信号レベルの維持中、前記第１のデータを送信し続けることを特徴とする請求項１４から２４のいずれか一項に記載のアクセサリ装置。
【請求項２６】
前記アクセサリ制御部は、前記第２の通信モードにおいて、前記第２の信号レベルでの前記第３のデータ通信チャネルの維持後、前記第２の信号レベルから前記第１の信号レベルへの前記第３のデータ通信チャネルの信号レベルの変化に従って前記第１のデータの送信を停止することを特徴とする請求項９から１５のいずれか一項に記載のアクセサリ装置。
【請求項２７】
前記パリティビットの後の前記第１のデータ通信チャネルの信号レベルは、前記第１の信号レベルであることを特徴とする請求項９から１５のいずれか一項に記載のアクセサリ装置。
【請求項２８】
前記第１の通信モードでは、前記第１の信号レベルのストップビットが前記パリティビットに続き、
前記第２の通信モードでは、前記第１の信号レベルのストップビットが前記第１のデータに続くことを特徴とする請求項９から１５のいずれか一項に記載のアクセサリ装置。
【請求項２９】
前記アクセサリ制御部は、前記第２の通信モードにおいて、前記第１のデータの送信に従って前記第２のデータを受信することを特徴とする請求項９から１５のいずれか一項に記載のアクセサリ装置。
【請求項３０】
前記アクセサリ制御部は、
前記第１の通信モードでは、通信待機要求が解除されるまでは通信要求を受信せず、
前記第２の通信モードでは、所定量の前記通信が行われるまで、前記第２の信号レベルでの前記第３の通信チャネルの信号レベルの維持に従って、前記撮像装置からの前記通信要求を受信し続けることを特徴とする請求項９から１５のいずれか一項に記載のアクセサリ装置。
【請求項３１】
前記アクセサリ制御部は、
前記第１のデータの送信に従って前記アクセサリ制御部が前記第２のデータを受信する前記第１の通信モードにおいて、
前記撮像装置が前記アクセサリ制御部から送信された前記第１のデータを受信することに従って、前記撮像装置が送信する前記前記第２のデータを受信することを特徴とする請求項９から１５のいずれか一項に記載のアクセサリ装置。
【手続補正２】
【補正対象書類名】明細書
【補正対象項目名】０００８
【補正方法】変更
【補正の内容】
【０００８】
本発明の一側面としての撮像装置は、アクセサリ装置が取り付け可能な撮像装置であって、第１の通信チャネルを介して第１のデータを受信し、第２の通信チャネルを介して第２のデータを送信するカメラ制御部を有し、前記カメラ制御部は、第１の通信モードと第２の通信モードにより通信を行い、前記第１の通信モードは、前記カメラ制御部が第１の信号レベルから第２の信号レベルへの第３の通信チャネルの信号レベルの変化に従って前記第１のデータを受信し、前記第１のデータの受信に従って前記第２のデータを送信する通信モードであり、前記第２の通信モードは、前記カメラ制御部が前記第１の信号レベルから前記第２の信号レベルへの前記第３の通信チャネルの信号レベルの変化後、前記第３の通信チャネルの前記第２の信号レベルでの維持に従って前記第１のデータを受信し、前記第１のデータの受信に従って前記第２のデータを送信する通信モードであり、前記第１の通信モードと前記第２の通信モードとで前記第１のデータのパリティビットの設定が互いに異なり、前記第１の通信モードの前記パリティビットの設定では、前記パリティビットは偶数パリティまたは奇数パリティであり、前記第２の通信モードの前記パリティビットの設定では、前記パリティビットは含まれず、前記パリティビットは、前記第２の信号レベルのスタートビットと、それに続く８ビットのデータとからなる前記第１のデータの後に付加されていることを特徴とする。
【手続補正３】
【補正対象書類名】明細書
【補正対象項目名】０００９
【補正方法】変更
【補正の内容】
【０００９】
本発明の他の一側面としてのアクセサリ装置は、撮像装置に取り付け可能に装着されるアクセサリ装置であって、第１の通信チャネルを介して第１のデータを送信し、第２の通信チャネルを介して第２のデータを受信するアクセサリ制御部を有し、前記アクセサリ制御部は、第１の通信モードと第２の通信モードにより通信を行い、前記第１の通信モードは、前記撮像装置のカメラ制御部が第１の信号レベルから第２の信号レベルへの第３の通信チャネルの信号レベルの変化に従って前記第１のデータを受信し、前記第１のデータの受信に従って前記第２のデータを送信する通信モードであり、前記第２の通信モードは、前記カメラ制御部が前記第１の信号レベルから前記第２の信号レベルへの前記第３の通信チャネルの信号レベルの変化後、前記第３の通信チャネルの前記第２の信号レベルでの維持に従って前記第１のデータを受信し、前記第１のデータの受信に従って前記第２のデータを送信する通信モードであり、前記第１の通信モードと前記第２の通信モードとで前記第１のデータのパリティビットの設定が互いに異なり、前記第１の通信モードの前記パリティビットの設定では、前記パリティビットは偶数パリティまたは奇数パリティであり、前記第２の通信モードの前記パリティビットの設定では、前記パリティビットは含まれず、前記パリティビットは、前記第２の信号レベルのスタートビットと、それに続く８ビットのデータとからなる前記第１のデータの後に付加されていることを特徴とする。
【手続補正４】
【補正対象書類名】明細書
【補正対象項目名】００１１
【補正方法】変更
【補正の内容】
【００１１】
本発明の他の一側面としての制御方法は、アクセサリ装置が取り付け可能な撮像装置の制御方法であって、第１の通信チャネルを介して第１のデータを受信し、第２の通信チャネルを介して第２のデータを送信するステップを有し、前記撮像装置および前記アクセサリ装置の間で第１の通信モードと第２の通信モードにより通信が行われ、前記第１の通信モードは、前記撮像装置のカメラ制御部が第１の信号レベルから第２の信号レベルへの第３の通信チャネルの信号レベルの変化に従って前記第１のデータを受信し、前記第１のデータの受信に従って前記第２のデータを送信する通信モードであり、前記第２の通信モードは、前記カメラ制御部が前記第１の信号レベルから前記第２の信号レベルへの前記第３の通信チャネルの信号レベルの変化後、前記第３の通信チャネルの前記第２の信号レベルでの維持に従って前記第１のデータを受信し、前記第１のデータの受信に従って前記第２のデータを送信する通信モードであり、前記第１の通信モードと前記第２の通信モードとで前記第１のデータのパリティビットの設定が互いに異なり、前記第１の通信モードの前記パリティビットの設定では、前記パリティビットは偶数パリティまたは奇数パリティであり、前記第２の通信モードの前記パリティビットの設定では、前記パリティビットは含まれず、前記パリティビットは、前記第２の信号レベルのスタートビットと、それに続く８ビットのデータとからなる前記第１のデータの後に付加されていることを特徴とする。
【手続補正５】
【補正対象書類名】明細書
【補正対象項目名】００１２
【補正方法】変更
【補正の内容】
【００１２】
本発明の他の一側面としての制御方法は、撮像装置に取り付け可能に装着されるアクセサリ装置の制御方法であって、第１の通信チャネルを介して第１のデータを送信し、第２の通信チャネルを介して第２のデータを受信するステップを有し、前記アクセサリ装置および前記撮像装置の間で第１の通信モードと第２の通信モードにより通信が行われ、前記第１の通信モードは、前記撮像装置のカメラ制御部が第１の信号レベルから第２の信号レベルへの第３の通信チャネルの信号レベルの変化に従って前記第１のデータを受信し、前記第１のデータの受信に従って前記第２のデータを送信する通信モードであり、前記第２の通信モードは、前記カメラ制御部が前記第１の信号レベルから前記第２の信号レベルへの前記第３の通信チャネルの信号レベルの変化後、前記第３の通信チャネルの前記第２の信号レベルでの維持に従って前記第１のデータを受信し、前記第１のデータの受信に従って前記第２のデータを送信する通信モードであり、前記第１の通信モードと前記第２の通信モードとで前記第１のデータのパリティビットの設定が互いに異なり、前記第１の通信モードの前記パリティビットの設定では、前記パリティビットは偶数パリティまたは奇数パリティであり、前記第２の通信モードの前記パリティビットの設定では、前記パリティビットは含まれず、前記パリティビットは、前記第２の信号レベルのスタートビットと、それに続く８ビットのデータとからなる前記第１のデータの後に付加されていることを特徴とする。